(57)【要約】      （修正有）【課題】着付けを美しく且つより容易にする二部式着物を提供する。【解決手段】上衣と下衣１２からなる。下衣１２は、左右の後身頃部分２２−１、２４−１、該後身頃部分の左右に縫い合わされた左右の前身頃部分１８−１、２０−１、該左右の前身頃部分の左右に縫い合わされる左右のおくみ部分２６−１、２８−１からなり、全体として、下縁４２、上縁４４、左右縁４６、４８からなる矩形状とされた下衣本体４９と、下衣本体の上縁４４に沿って取り付けられ、下衣本体から左右に延びる腰紐６０と、を有する。下衣本体の左縁４２と該左縁より左方に延びる腰紐６０との間に形成される隅部には、矩形状の衿下端布６２と、三角形の補強部材６６とが設けられる。【選択図】図３
0003175018.tif 000002
【実用新案登録請求の範囲】
【請求項１】
腰からの下半身の周りに巻きつけられる下衣、及び、腰上の上半身に装着される上衣とからなる二部式着物であって、
下衣が、
体の後側で左右の中央に位置する後側中心線に沿って縫い合わされる左右の後身頃部分、該後身頃部分の左右に縫い合わされた左右の前身頃部分、該左右の前身頃部分の左右に縫い合わされる左右のおくみ部分からなり、全体として、下縁、上縁、左右縁からなる矩形状とされた下衣本体と、
該下衣本体の上縁に沿って取り付けられ、該下衣本体から左右に延びる腰紐と、
前記下衣本体の左縁と該左縁より左方に延びる前記腰紐との間に形成される隅（コーナー）部に矩形状に設けられて、前記左縁に沿って前記下衣に縫い付けられ、また、前記腰紐にその長さ方向に沿って縫い付けられた矩形状の衿下端布と
を有することを特徴とする二部式着物。
【請求項２】
水平縁と垂直縁と、該水平縁及び垂直縁の先端の間を結ぶ斜辺縁とからなる三角形状の補強布で、垂直縁が下衣本体の左縁に沿って縫い付けられ、水平縁が前記腰紐に沿って縫い付けられて、前記斜辺縁が当該衿下端布と腰紐との間に画定される隅部を斜めに延びるようにして、該衿下端布の裏面に取り付けられた補強部材を更に有することを特徴とする二部式着物。
【考案の詳細な説明】
【技術分野】
【０００１】
本考案は、上部部分（上衣）と下部部分（下衣）とからなる二部式着物に関する。
【背景技術】
【０００２】
着物の着付けをしやすくするために、着物を上衣と下衣とに分けた二部式着物が知られている（例えば、特許文献１及び２）。一般の着物は、衿、衿の上半部の左右にそれぞれ縫い合わされて肩山（肩の線）を形成し前側下方に延びる左右の前身頃、後衿（衿の首周り後部分）の左右に縫い合わされてそれぞれ左右の前身頃と上記肩山を介して後側下方に延びる左右の後身頃、及び、衿の下半部及び左右の前身頃にそれぞれ縫い合わされて下方に延びる左右のおくみからなる本体部分と、本体部分の左右に設けられる袖とからなる。二部式着物は、このような着物を、ほぼ衿の下端部分で上衣と下衣とに分けたものである。下衣は上述の左右の前身ごろ、左右後身ごろ、左右のおくみを備えた、腰巻状のものであり、腰から下半身の部分に巻き付けて腰のところで紐で締め留めるようになっており、上衣は、下衣を装着してから、上半身につけて、紐を使って、通常の着物のように衿を合わせた状態とし、その後、上衣及び下衣の繋ぎ部分の上に帯を巻きつける。
【先行技術文献】
【特許文献】
【０００３】
【特許文献１】特開２００２−４１１１
【特許文献２】特開２０００−１４４５０５
【特許文献３】特開２００４−１３７６０８
【考案の概要】
【考案が解決しようとする課題】
【０００４】
本考案は、このような二部式着物を、より着易く且つ美しく装うことができるようにすることを目的とする。
【課題を解決するための手段】
【０００５】
すなわち、本考案に係る二部式着物は、
腰からの下半身の周りに巻きつけられる下衣、及び、腰上の上半身に装着される上衣とからなる二部式着物であって、
下衣が、
体の後側で左右の中央に位置する後側中心線に沿って縫い合わされる左右の後身頃部分、該後身頃部分の左右に縫い合わされた左右の前身頃部分、該左右の前身頃部分の左右に縫い合わされる左右のおくみ部分からなり、全体として、下縁、上縁、左右縁からなる矩形状とされた下衣本体と、
該下衣本体の上縁に沿って取り付けられ、該下衣本体から左右に延びる腰紐と、
前記下衣本体の左縁と該左縁より左方に延びる前記腰紐との間に形成される隅（コーナー）部に矩形状に設けられて、前記左縁に沿って前記下衣に縫い付けられ、また、前記腰紐にその長さ方向に沿って縫い付けられた矩形状の衿下端布と
を有することを特徴とする。
【０００６】
通常の着物では、装着した場合、着物の上に巻かれた帯の下に作られるお端折りの下に衿の下端部分が見えるように伸びるが、従来の二部式着物では、そのような部分が無く、不自然な感じがあった。上記衿下端布は、当該二部式着物を装着したときに、帯の下にお端折り様に水平に延びる上衣の下端縁から下に延びる下衣に前記衿下端布が設けられているために、この衿下端布が、通常の着物を装着したときに見える衿下端部分と同様の感じを与えることができる。
【０００７】
また、水平縁と垂直縁と、該水平縁及び垂直縁の先端の間を結ぶ斜辺縁とからなる三角形状の補強布で、垂直縁が下衣本体の左縁に沿って縫い付けられ、水平縁が前記腰紐に沿って縫い付けられて、前記斜辺縁が、当該衿下端布と腰紐との間に画定される隅部を斜めに延びるようにして、該衿下端布の裏面に取り付けられた補強部材を更に有するようにすることができる。
【０００８】
この補強部材は、衿下端布を補強して該衿下端布が捲れないようにすると共に、下衣本体の左縁が捲れないようにする。
【０００９】
以下、本考案に係る二部式着物の実施形態を添付図面に基づき説明する。
【図面の簡単な説明】
【００１０】
【図１】本考案に係る二部式着物の上衣の前側部分を正面側から見た図。
【図２】同上衣の裏側部分を裏面側から見た図。
【図３】同二部式着物の下衣を展開した状態を裏面側からみた図。
【図４】同二部式着物を装着したときの上衣及び下衣の関係を示すための正面図であり、上衣及び下衣の関係を明瞭に示すために帯は想像線（一点鎖線）で示してある。
【図５】同二部式着物を装着したときの右前身頃部分と右後身頃部分との縫い合わせ位置を示すために装着した着物を斜め後から示す図である。
【考案を実施するための形態】
【００１１】
本考案に係る二部式着物は、図１及び図２に示す上衣１０と、図３に示す下衣１２からなる。本明細書で「右」「左」との用語は、着物を装着した人の体の左、右に対応するものとする。
【００１２】
上衣１０は、衿１４と、衿１４の上半部の左右に縫い合わされ、肩山（肩の線）１６を形成し下方に延びる左右の前身頃部分１８、２０、後衿部分１４−１の左右に縫い合わされて左右の前身頃部分１８、２０と肩山１６を介して後側下方に延びる左右の後身頃部分２２、２４、及び、衿１４の下半部及び左右の前身頃部分１８、２０に縫い合わされて下方に延びる左右のおくみ部分２６、２８からなる本体部分３０と、本体部分３０の左右に設けられる袖３２、３４とからなる。
【００１３】
袖は通常の着物と同様に仕立てられる。本考案の１つの特徴は、左右の後身頃部分２２、２４の胴回りの部分に、それぞれ、縦に延びる２つのダーツ３６、３８を設ける点にあり、着付けを行ったときに生じる縦襞をなるべく小さくするように体へのフィット感を与えるようにしている。
【００１４】
また、着付けをしたときに外側になる左前身頃部分１８及び左おくみ部分２６の下方部分を折り返して、それにより形成される下端縁４０が、左から右に向かうに従って下方へ傾斜するようにしてある。これは、着付けを行うときに、下端縁４０の右端４０−１をもって同下端縁４０を体に合わせるようにすると、下端縁４０が略水平な状態となり、これを、後で締める帯の下に出すようにすることにより、通常の着物の装着のときに作られるお端折りと同じ外観とすることができる。
【００１５】
下衣１２は、図３に示すように、体の後側で左右の中央に位置する後側中心線４１に沿って縫い合わされる左右の後身頃部分２２−１、２４−１、該後身頃部分の左右に縫い合わされた左右の前身頃部分１８−１、２０−１、該左右の前身頃部分１８−１、２０−１の左右に縫い合わされる左右のおくみ部分２６−１、２８−１からなり、全体として、下縁４２、上縁４４、左縁４６、右縁４８からなる矩形状とされている下衣本体４９を有する。下衣本体４９の下縁４２は水平にされ、上縁４４は、上記後側中心線４１の左右の所定範囲（図示の例では、左右の後身頃部分２２−１、２４−１に対応する範囲）にわたる上縁中央部分５０、該中央部分５０の右端から右縁４８まで延びる上縁右側部分５２、及び、中央部分５０の左端から左縁４６まで延びる上縁左側部分５４とからなり、上縁右側部分５２が上縁中央部分５０から右側に離れるに従って下方に傾斜し、上縁左側部分５４が上縁中央部分５０から左側に離れるに従って下方に傾斜し、上縁左側部分５４の方が上縁右側部分５２よりも大きな傾斜を有しており、右縁４８が左縁４６よりも短くなるようにされている。
【００１６】
また、下衣１２は更に、下衣本体４９の上縁４４に沿って縫い付けられ、左右に延びる腰紐６０を有する。左縁４６と該左縁４６より左方に延びる腰紐６０との間に形成される隅（コーナー）部には、下衣本体４９の左縁４６に沿って当該下衣本体４９に縫い付けられ、また、腰紐６０にその長さ方向に沿って縫い付けられた矩形状の衿下端布６２が設けられている。具体的には、矩形の布を半分に折り返して重ね、折り返し線を図３で見て当該衿端布６２の左側縁６２−１とし、折り返し重ね合わせた部分をその下端縁６２−２に沿って縫い合わせ、その右側縁を下衣本体４９の左縁４６に縫い合わせ、上端縁を腰紐６０に縫い合わせる。好ましくは、折り返し重ね合わせた部分の間に補強となる矩形状の布を挟むようにする。
【００１７】
通常の着物では、着物を装着したときのお端折りの下に衿１４の下端部分が伸びるようになるが、従来の二部式着物では、そのような部分が無く、不自然な感じがあったが、上記衿下端布６２は、図４に示すように、仮想線（一点鎖線）で示す帯Ａの下にお端折り部分として見える上衣下端縁４０の下に延びるようにすることができ、通常の着物と同様の感じを与えることができる。
【００１８】
図示の例では、この衿下端布６２を更に補強するための三角形の補強布６６（図３）が設けられる。すなわち、この補強布６６は、ほぼ直角な角部を画定する水平縁６６−１と垂直縁６６−２と、該水平縁及び垂直縁の先端の間を結ぶ斜辺縁６６−３とからなり、垂直縁６６−２を下衣本体４９の左縁４６に沿って縫い付け、水平縁６６−１を腰紐６０にその長さ方向に沿って縫い付けるようにして、斜辺縁６６−３が衿下端布６６と腰紐６０との間に画定される隅部を斜めに延びるようにして、該衿下端布６２に取り付けられている。衿下端布６２は、下衣１２が下半身に巻き付けられ、腰紐６０を腰回りに締め付けられたときに、下衣本体４９の左縁４６が捲れにくくするが、補強布６６で衿下端布６２を補強することにより、当該衿下端布６２及び下衣本体４９の左縁４６が更に捲れにくくなるようにすることができる。
【００１９】
また、下衣本体４９における左後身頃部分２２−１と左前身頃部分１８−１との縫い代、及び、右後身頃部分２４−１と右前身頃部分２０−１との縫い代を２０ｍｍ以上として、左右の後身頃部分２２−１、２４−１の幅を通常の着物のものよりも狭くする。このようにすることにより、下衣を装着したときに、後身頃部分と前身頃部分の縫い合わせ線６８が、図５に示すように、通常の位置７０よりも後側中心線４１寄りとなり、腰周りを小さく見せることができる。
【符号の説明】
【００２０】
上衣１０；下衣１２；衿１４；後衿部分１４−１；肩山（肩の線）１６；前身頃部分１８、２０；（下衣の）前身頃部分１８−１、２０−１；後身頃部分２２、２４；（下衣の）後身頃部分２２−１、２４−１；おくみ部分２６、２８；（下衣の）おくみ部分２６−１、２８−１；本体部分３０；袖３２、３４；ダーツ３６、３８；下端縁４０；（下端縁４０の）右端４０−１；（下衣の）後側中心線４１；下縁４２；上縁４４；左縁４６；右縁４８；下衣本体４９；上縁中央部分５０；上縁右側部分５２；上縁左側部分５４；腰紐６０；衿下端布６２；補強布６６；水平縁６６−１；垂直縁６６−２；斜辺縁６６−３；後身頃部分と前身頃部分の縫い合わせ線６８；後身頃部分と前身頃部分の縫い合わせ線の通常の位置７０
【図１】
0003175018.tif 000003
【図２】
0003175018.tif 000004
【図３】
0003175018.tif 000005
【図４】
0003175018.tif 000006
【図５】
0003175018.tif 000007
【手続補正書】
【提出日】平成24年2月15日(2012.2.15)
【手続補正１】
【補正対象書類名】実用新案登録請求の範囲
【補正対象項目名】全文
【補正方法】変更
【補正の内容】
【実用新案登録請求の範囲】
【請求項１】
腰からの下半身の周りに巻きつけられる下衣、及び、腰上の上半身に装着される上衣とからなる二部式着物であって、
下衣が、
体の後側で左右の中央に位置する後側中心線に沿って縫い合わされる左右の後身頃部分、該後身頃部分の左右に縫い合わされた左右の前身頃部分、該左右の前身頃部分の左右に縫い合わされる左右のおくみ部分からなり、全体として、下縁、上縁、左右縁からなる矩形状とされた下衣本体と、
該下衣本体の上縁に沿って取り付けられ、該下衣本体から左右に延びる腰紐と、
前記下衣本体の左縁と該左縁より左方に延びる前記腰紐との間に形成される隅（コーナー）部に矩形状に設けられて、前記左縁に沿って前記下衣に縫い付けられ、また、前記腰紐にその長さ方向に沿って縫い付けられた矩形状の衿下端布と
を有することを特徴とする二部式着物。
【請求項２】
水平縁と垂直縁と、該水平縁及び垂直縁の先端の間を結ぶ斜辺縁とからなる三角形状の補強布で、垂直縁が下衣本体の左縁に沿って縫い付けられ、水平縁が前記腰紐に沿って縫い付けられて、前記斜辺縁が当該衿下端布と腰紐との間に画定される隅部を斜めに延びるようにして、該衿下端布の裏面に取り付けられた補強部材を更に有することを特徴とする請求項１に記載の二部式着物。